(57)【要約】【課題】立体ギャザーが有効に機能するように吸収体の外側に向けて広げることができ、おむつからの尿漏れを有効に防止することが可能なテープ型使い捨ておむつを提供する。【解決手段】本発明のテープ型使い捨ておむつ１Ａは、おむつの後身頃６の側縁６ａ，６ｂから延出された一対の止着テープ１１ａ，１１ｂが、おむつの内側面に折り曲げられた状態で配置されており、この一対の止着テープ１１ａ，１１ｂと、吸収体２２の両側に配置された一対の立体ギャザー２６のうちの同一側縁側に配置された立体ギャザー２６ａ，２６ｂと、立体ギャザー引張部材７０によって連結されており、止着テープ１１を後身頃の左右の側縁外方に広げる操作に連動させて、立体ギャザー引張部材７０に接続された立体ギャザー２６をおむつの幅方向の外側に向けて広げることができる。【選択図】図１Ｂ
2010158410.tif 000002
【特許請求の範囲】
【請求項１】
前身頃、股下部及び後身頃の各部から構成され、
吸収体と、前記吸収体の上面を被覆するように配置された、少なくとも一部が液透過性材料からなるトップシートと、前記吸収体の下面を被覆するように配置された、液不透過性材料からなるバックシートと、撥水性シートからなり、前記吸収体の両側に配置された、少なくとも左右一対の立体ギャザーと、前記後身頃の左右の側縁から延出された、前記後身頃と前記前身頃とを固定する少なくとも一対の止着テープと、前記前身頃に形成された、前記止着テープを止め付ける止着領域と、を備えたテープ型使い捨ておむつであって、
前記後身頃の左右の側縁から延出された前記一対の止着テープのそれぞれは、前記トップシートが配置された側のおむつの内側面に折り曲げられた状態で配置されており、
前記折り曲げられた状態で配置された少なくとも一対の止着テープにおける前記後身頃の側縁から所定距離離れた基材部分に一方の端部が接続され、且つ、前記吸収体の両側に配置された前記一対の立体ギャザーのうちの同一側縁側に配置された立体ギャザーに他方の端部が接続された、立体ギャザー引張部材を更に備え、
おむつを使用する際に、前記折り曲げられた状態で配置された少なくとも一対の止着テープのそれぞれを、前記後身頃の左右の側縁外方に広げることによって、前記止着テープに接続された前記立体ギャザー引張部材が連動して、前記立体ギャザー引張部材に接続された前記立体ギャザーをおむつの幅方向の外側に向けて広げることが可能に構成されたテープ型使い捨ておむつ。
【請求項２】
前記立体ギャザー引張部材は、前記一方の端部が、前記おむつの内側面に折り曲げられた前記一対の止着テープの前記基材部分における、前記おむつの内側面と向かい合う側の面の一部に接続されている請求項１に記載のテープ型使い捨ておむつ。
【請求項３】
前記立体ギャザー引張部材は、前記一方の端部が、前記おむつの内側面に折り曲げられた前記一対の止着テープの前記基材部分における、前記おむつの内側面と向かい合う側の面とは反対側の面の一部に接続されるとともに、
前記立体ギャザー引張部材は、前記折り曲げられた状態で配置された前記一対の止着テープの先端部分と重なる領域に、前記止着テープの先端部分を摘まんでおむつの幅方向の外側に向けて広げるための開口部又は切れ込み線が形成されている請求項１に記載のテープ型使い捨ておむつ。
【請求項４】
前記立体ギャザー引張部材は、前記おむつの内側面と一部が仮固定されている請求項１〜３のいずれか一項に記載のテープ型使い捨ておむつ。
【請求項５】
前記立体ギャザー引張部材は、前記おむつの内側面と向かい合う側の面に、前記おむつの内側面に着脱可能な止着部を有する請求項１〜４のいずれか一項に記載のテープ型使い捨ておむつ。
【請求項６】
前記立体ギャザー引張部材は、前記他方の端部が、前記立体ギャザーの下端部から上端部までの中央部分よりも前記上端部側に接続されている請求項１〜５のいずれか一項に記載のテープ型使い捨ておむつ。
【発明の詳細な説明】
【技術分野】
【０００１】
本発明は、テープ型使い捨ておむつに関する。更に詳しくは、吸収体の両側に配置された立体ギャザーを備え、その立体ギャザーが有効に機能するように吸収体の外側に向けて広げることができ、おむつからの尿漏れを有効に防止することが可能なテープ型使い捨ておむつに関する。
【背景技術】
【０００２】
近年、乳幼児用、又は高齢者・障害者用のおむつとして、例えば、図４に示すテープ型使い捨ておむつ１００のような、前身頃２、股下部４、後身頃６の各部から構成され、吸収体２２と、この吸収体２２の表面を被覆するように配置され、少なくとも一部が液透過性材料からなるトップシート１８と、吸収体２２の裏面を被覆するように配置され、液不透過性材料からなるバックシート２０と、後身頃６側に配置された、前身頃２と後身頃６とを固定するために止着テープ１１と、備えた使い捨ておむつが汎用されている。このようなテープ型使い捨ておむつ１００は、それぞれの止着テープ１１を、着用者の脇を経由して、おむつの前身頃２に配設された止着領域１３に止め付けることによって着用することができる。
【０００３】
このテープ型使い捨ておむつ１００によれば、着用者の排泄物はトップシート１８の液透過性の部分を透過して吸収体２２に吸収されるとともに、通常、液不透過性の材料で構成されるバックシート２０によって外部への漏洩が防止され、排泄物をおむつ内部に保持することができる。また、止着テープ１１によっておむつの前身頃２と後身頃６とを相互に固定することで、着用者に容易に装着させることができるという利点をも有するものである。このような使い捨ておむつにおいては、例えば、おむつの内側面を構成するサイドシート１９を折り返すことによって、立体ギャザー２６（２６ａ，２６ｂ）が形成されている（例えば、特許文献１参照）。
【０００４】
上述した立体ギャザー２６は、着用者の排泄した尿の漏れを防止するための部材であり、立体的に起立可能なように構成された防漏壁である。図４においては、おむつのサイドフラップの表面に配置されたサイドシート１９を折り返すことにより形成されている。このような立体ギャザー２６を配置することにより、おむつの脚周り開口部等からの漏れ（いわゆる「横漏れ」）防止することができるとされている。
【先行技術文献】
【特許文献】
【０００５】
【特許文献１】特開昭６３−１８２４０１号公報
【発明の概要】
【発明が解決しようとする課題】
【０００６】
しかしながら、このようなテープ型使い捨ておむつにおいては、おむつの内側面を着用者に宛がって着用する際に、吸収体の両側に配置された立体ギャザーが、吸収体の左右に広がらない状態で、臀部にて押し潰されてしまうことがあり、立体ギャザーが正常に機能しないことがあるという問題があった。
【０００７】
更に、上記したように吸収体の表面の一部を覆うように立体ギャザーが押し潰されてしまうと、吸収体の尿を吸収する間口、即ち、尿等の排泄物を受け止めるための吸収体の実質的な表面積が減少してしまい、着用者の排泄した尿を良好に吸収することができないという問題があった。特に、着用時に身体の下側で立体ギャザーが潰れてしまうことが多く、また、尿が回り込むため吸収能力が必要である後身頃においては、立体ギャザーが吸収体上に倒れないようにする必要があるが、例えば、寝たきりの着用者に対しては、着用時に立体ギャザーが身体の下側になり潰れてしまい易く、また、介護者にとっても立体ギャザーの位置が特定し難いため、上記問題が一層顕在化することになる。
【０００８】
また、この立体ギャザーは撥水性の材料から構成されているため、吸収体の表面を覆うように押し潰された立体ギャザー上に尿が排泄された場合には、この立体ギャザーの表面を伝っておむつの脚周り開口部から簡単に漏れ出してしまうという問題もあった。
【０００９】
更に、例えば、大人用おむつの場合には、テープ型使い捨ておむつと尿パッドとを併用する場合があり、近年、比較的大型で幅の広い尿パッドが多く用いられている。このような尿パッドは、テープ型使い捨ておむつの吸収体上に、即ち、一対の立体ギャザーの間に収めるように装着しなければならず、介護によるおむつ交換の中では、極めて手間が掛かるものであり、介護者の介護負担を増大させるという問題もあった。
【００１０】
本発明は、吸収体の周囲に配置された立体ギャザーが有効に機能するように、即ち、立体ギャザーの適正な配置位置となるように、吸収体の外側に向けて広げることができ、おむつからの尿漏れを有効に防止することが可能なテープ型使い捨ておむつを提供するものである。
【課題を解決するための手段】
【００１１】
本発明者らは、上記課題を解決するために鋭意検討した結果、おむつの後身頃から延出され、且つおむつの内側面に折り曲げられた状態の止着テープに、立体ギャザーと連結するように接続された引張部材を配設し、止着テープをおむつの幅方向の外側に向けて広げる操作に連動させて、立体ギャザーを吸収体の左右に広げることができるように構成することによって、上記課題が解決されることに想到し、本発明を完成させた。具体的には、本発明により、以下のテープ型使い捨ておむつが提供される。
【００１２】
［１］  前身頃、股下部及び後身頃の各部から構成され、吸収体と、前記吸収体の上面を被覆するように配置された、少なくとも一部が液透過性材料からなるトップシートと、前記吸収体の下面を被覆するように配置された、液不透過性材料からなるバックシートと、撥水性シートからなり、前記吸収体の両側に配置された、少なくとも左右一対の立体ギャザーと、前記後身頃の左右の側縁から延出された、前記後身頃と前記前身頃とを固定する少なくとも一対の止着テープと、前記前身頃に形成された、前記止着テープを止め付ける止着領域と、を備えたテープ型使い捨ておむつであって、前記後身頃の左右の側縁から延出された前記一対の止着テープのそれぞれは、前記トップシートが配置された側のおむつの内側面に折り曲げられた状態で配置されており、前記折り曲げられた状態で配置された少なくとも一対の止着テープにおける前記後身頃の側縁から所定距離離れた基材部分に一方の端部が接続され、且つ、前記吸収体の両側に配置された前記一対の立体ギャザーのうちの同一側縁側に配置された立体ギャザーに他方の端部が接続された、立体ギャザー引張部材を更に備え、おむつを使用する際に、前記折り曲げられた状態で配置された少なくとも一対の止着テープのそれぞれを、前記後身頃の左右の側縁外方に広げることによって、前記止着テープに接続された前記立体ギャザー引張部材が連動して、前記立体ギャザー引張部材に接続された前記立体ギャザーをおむつの幅方向の外側に向けて広げることが可能に構成されたテープ型使い捨ておむつ。
【００１３】
［２］  前記立体ギャザー引張部材は、前記一方の端部が、前記おむつの内側面に折り曲げられた前記一対の止着テープの前記基材部分における、前記おむつの内側面と向かい合う側の面の一部に接続されている前記［１］に記載のテープ型使い捨ておむつ。
【００１４】
［３］  前記立体ギャザー引張部材は、前記一方の端部が、前記おむつの内側面に折り曲げられた前記一対の止着テープの前記基材部分における、前記おむつの内側面と向かい合う側の面とは反対側の面の一部に接続されるとともに、前記立体ギャザー引張部材は、前記折り曲げられた状態で配置された前記一対の止着テープの先端部分と重なる領域に、前記止着テープの先端部分を摘まんでおむつの幅方向の外側に向けて広げるための開口部又は切れ込み線が形成されている前記［１］に記載のテープ型使い捨ておむつ。
【００１５】
［４］  前記立体ギャザー引張部材は、前記おむつの内側面と一部が仮固定されている前記［１］〜［３］のいずれかに記載のテープ型使い捨ておむつ。
【００１６】
［５］  前記立体ギャザー引張部材は、前記おむつの内側面と向かい合う側の面に、前記おむつの内側面に着脱可能な止着部を有する前記［１］〜［４］のいずれかに記載のテープ型使い捨ておむつ。
【００１７】
［６］  前記立体ギャザー引張部材は、前記他方の端部が、前記立体ギャザーの下端部から上端部までの中央部分よりも前記上端部側に接続されている前記［１］〜［５］のいずれかに記載のテープ型使い捨ておむつ。
【発明の効果】
【００１８】
本発明のテープ型使い捨ておむつは、吸収体の両側に配置された立体ギャザーが有効に機能するように、吸収体の外側に向けて広げることができ、おむつからの尿漏れを有効に防止することができる。具体的には、おむつの内側面に折り曲げられた状態の止着テープを、おむつの幅方向の外側に向けて広げる操作に連動させて（即ち、立体ギャザー引張部材を介在させて）、立体ギャザーを吸収体の外側に向けて広げることができ、おむつからの尿漏れを有効に防止することができる。
【００１９】
また、本発明のテープ型使い捨ておむつは、吸収体上に、尿パッドを装着して使用する場合にも、上述したように止着テープに連動させて立体ギャザーを起立させる（広げる）ことができるため、吸収体上への尿パッドの装着が容易になり、介護者の介護負担等を軽減することができる。
【図面の簡単な説明】
【００２０】
【図１Ａ】本発明のテープ型使い捨ておむつの一の実施形態を示す一部切り欠き断面図であり、テープ型使い捨ておむつを展開し、トップシート側から見た状態を示す図である。
【図１Ｂ】図１Ａに示すテープ型使い捨ておむつのＡ−Ａ’断面を示す概略断面図である。
【図１Ｃ】図１Ａに示すテープ型使い捨ておむつの止着テープをおむつの幅方向外側に向けて広げた状態を示す一部切り欠き断面図であり、テープ型使い捨ておむつを展開し、トップシート側から見た状態を示す図である。
【図１Ｄ】図１Ｃに示すテープ型使い捨ておむつのＢ−Ｂ’断面を示す概略断面図である。
【図２Ａ】本発明のテープ型使い捨ておむつの他の実施形態を示す一部切り欠き断面図であり、テープ型使い捨ておむつを展開し、トップシート側から見た状態を示す図である。
【図２Ｂ】図２Ａに示すテープ型使い捨ておむつのＣ−Ｃ’断面を示す概略断面図である。
【図２Ｃ】図２Ａに示すテープ型使い捨ておむつの止着テープをおむつの外側に広げる際の状態を模式的に示す拡大斜視図である。
【図３Ａ】本発明のテープ型使い捨ておむつの更に他の実施形態を示す一部切り欠き断面図であり、テープ型使い捨ておむつを展開し、トップシート側から見た状態を示す図である。
【図３Ｂ】図３Ａに示すテープ型使い捨ておむつのＤ−Ｄ’断面を示す概略断面図である。
【図４】従来のテープ型使い捨ておむつの一部切り欠き断面図であり、テープ型使い捨ておむつを展開し、トップシート側から見た状態を示す図である。
【発明を実施するための形態】
【００２１】
以下、本発明のテープ型使い捨ておむつを実施するための形態について具体的に説明する。但し、本発明はその発明特定事項を備えるテープ型使い捨ておむつを広く包含するものであり、以下の実施形態に限定されるものではない。
【００２２】
〔１〕定義等：
「テープ型使い捨ておむつ」とは、図１Ａ〜図１Ｄに示すテープ型使い捨ておむつ１Ａのように、吸収体２２と、トップシート１８と、バックシート２０と、後身頃６の左右の各側縁６ａ，６ｂから延出された、前身頃２と後身頃６とを固定するための止着テープ１１と、前身頃２に形成された、止着テープ１１を止め付ける止着領域１３（図１Ａにおいては、フロントパッチ１３ａ）と、を備えた使い捨ておむつを意味するものとする。なお、図１Ａに示すテープ型使い捨ておむつ１Ａは、前身頃２及び後身頃６に、股下部４よりおむつの幅方向外側に延出されたサイドフラップ８が形成されている。
【００２３】
ここで、図１Ａは、本発明のテープ型使い捨ておむつの一の実施形態を示す一部切り欠き断面図であり、テープ型使い捨ておむつを展開し、トップシート側から見た状態を示す図である。図１Ｂは、図１Ａに示すテープ型使い捨ておむつのＡ−Ａ’断面を示す概略断面図である。また、図１Ｃは、図１Ａに示すテープ型使い捨ておむつの止着テープをおむつの幅方向外側に向けて広げた状態を示す一部切り欠き断面図であり、テープ型使い捨ておむつを展開し、トップシート側から見た状態を示す図である。更に、図１Ｄは、図１Ｃに示すテープ型使い捨ておむつのＢ−Ｂ’断面を示す概略断面図である。
【００２４】
「前身頃」とは、図１Ａに示す使い捨ておむつ１Ａのように、着用者に使い捨ておむつを装着した際に、着用者の腹側（身体前方）を覆う部分（図中、符号２）、「股下部」とは、着用者に使い捨ておむつを装着した際に、着用者の股下を覆う部分（図中、符号４）、「後身頃」とは、着用者に使い捨ておむつを装着した際に、着用者の背側（身体後方）を覆う部分を意味するものとする（図中、符号６）。
【００２５】
また、本発明のテープ型使い捨ておむつにおいて、「おむつの内側面」とは、おむつの装着時において着用者の肌と接する側の面のことをいい、また、「おむつの外側面」とは、おむつの内側面とは反対側の、おむつの装着時において着用者の着衣側に位置する面のことをいう。
【００２６】
そして、「１ピースタイプ」とは、トップシート、バックシート、吸収体を備えているが、吸収・保持機能を担う吸収体がトップシートとバックシートの間に介装（内蔵）され、装着機能を担うトップシート及び／又はバックシートと一体的に構成されたタイプのおむつを意味するものとする。
【００２７】
〔２〕本発明の使い捨ておむつの構成：
本発明のテープ型使い捨ておむつは、図１Ａ及び図１Ｂに示すテープ型使い捨ておむつ１Ａのように、前身頃２、股下部４及び後身頃６の各部から構成され、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、撥水性シートからなり、吸収体２２の両側に配置された、少なくとも左右一対の立体ギャザー２６（２６ａ，２６ｂ）と、後身頃６の左右の側縁６ａ，６ｂから延出された、後身頃６と前身頃２とを固定する少なくとも一対の止着テープ１１と、前身頃２に形成された、止着テープ１１を止め付ける止着領域１３と、を備えたものである。
【００２８】
そして、本発明のテープ型使い捨ておむつ１Ａは、使用する最初の状態において、後身頃６の左右の側縁６ａ，６ｂから延出された一対の止着テープ１１のそれぞれが、トップシート１８が配置された側のおむつの内側面に折り曲げられた状態で配置されている。なお、図１Ａ及び図１Ｂにおいては、後身頃６の左右の側縁６ａ，６ｂから、それぞれ二つずつ（即ち、二対の）止着テープ１１が延出され、それぞれの止着テープ１１がおむつの内側面に折り曲げられた例を示している。
【００２９】
更に、本発明のテープ型使い捨ておむつ１Ａは、折り曲げられた状態で配置された一対の止着テープ１１ａ，１１ｂにおける後身頃６の側縁６ａ，６ｂから所定距離離れた基材部分１２に、その一方の端部７０ｘが接続され、且つ、吸収体２２の両側に配置された一対の立体ギャザー２６（２６ａ，２６ｂ）のうちの同一側縁側に配置された立体ギャザー２６に、他方の端部７０ｙが接続された、立体ギャザー引張部材７０を更に備え、おむつを使用する際に、折り曲げられた状態で配置された一対の止着テープ１１のそれぞれを、図１Ｃ及び図１Ｄに示すように、後身頃６の左右の側縁６ａ，６ｂ外方に広げることによって、止着テープ１１ａ，１１ｂに接続された立体ギャザー引張部材７０ａ，７０ｂが連動して、立体ギャザー引張部材７０ａ，７０ｂに接続された立体ギャザー２６ａ，２６ｂをおむつの幅方向の外側に向けて広げることが可能に構成されている。
【００３０】
このように、本発明のテープ型使い捨ておむつは、おむつの内側面に折り曲げられた状態の止着テープを、おむつの幅方向の外側に向けて広げる操作に連動させて（即ち、立体ギャザー引張部材を介在させて）、立体ギャザーを吸収体の外側に向けて広げることができ、おむつからの尿漏れを有効に防止することができる。
【００３１】
より具体的には、本発明のテープ型使い捨ておむつは、おむつの後身頃の側縁を支点として止着テープをおむつの幅方向の外側に向けて広げることにより、止着テープを構成する基材部分における、立体ギャザー引張部材との接続部から後身頃の側縁までの長さの２倍に相当する距離の分だけ、立体ギャザー引張部材をおむつの幅方向の外方に向けて引張ることができ、これに連動させて立体ギャザーを吸収体の外側に向けて広げることができる。
【００３２】
また、本発明のテープ型使い捨ておむつは、吸収体上に尿パッドを装着して使用する場合にも、上述したように止着テープに連動させて立体ギャザーを起立させる（広げる）ことができるため、吸収体上への尿パッドの装着が容易になり、介護者の介護負担等を軽減することができる。
【００３３】
図１Ａに示すテープ型使い捨ておむつ１Ａにおいては、図１Ａの紙面の左側に配置された止着テープ１１ａと、吸収体２２の側縁左側に配置された立体ギャザー２６ａとが第一の立体ギャザー引張部材７０ａによって連結され、また、図１Ａにおける紙面の右側に配置された止着テープ１１ｂと、吸収体２２の側縁右側に配置された立体ギャザー２６ｂとが第二の立体ギャザー引張部材７０ｂによって連結され、この立体ギャザー引張部材７０ａ，７０ｂを介して、それぞれの立体ギャザー２６ａ，２６ｂをおむつの幅方向の外側に向けて広げることができるように構成されている。
【００３４】
本発明のテープ型使い捨ておむつにおいては、立体ギャザー引張部材の他方の端部が、立体ギャザーの下端部から上端部までの中央部分よりも前記上端部側に固定されていることが好ましい。このように構成することによって、止着テープと連動して立体ギャザーを動かす際に、立体ギャザーの先端側を良好に左右に広げることができる。
【００３５】
また、図１Ａ及び図１Ｂに示すテープ型使い捨ておむつ１Ａにおいては、立体ギャザー引張部材７０の一方の端部７０ｘが、おむつの内側面に折り曲げられた一対の止着テープ１１の基材部分１２の、おむつの内側面と向かい合う側の面（以下、この面を、「基材部分の内側の面」ということがある）の一部に接続された場合の例を示しているが、図２Ａ及び図２Ｂに示すテープ型使い捨ておむつ１Ｂのように、立体ギャザー引張部材７０は、その一方の端部７０ｘが、おむつの内側面に折り曲げられた一対の止着テープ１１の基材部分１２の、おむつの内側面と向かい合う側の面とは反対側の面（以下、この面を、「基材部分の外側の面」ということがある）の一部に接続されていてもよい。
【００３６】
このように、一対の止着テープの基材部分に対して、立体ギャザー引張部材の一方の端部が接続されていれば、基材部分の内側の面に接続されていてもよいし、基材部分の外側の面に接続されていてもよい。なお、基材部分の外側の面に立体ギャザー引張部材の一方の端部を接続する場合には、止着テープの先端側に配置されたファスニング部材の位置に関係なく、基材部分の外側の面のどの位置に対しても接続することが可能であるため、立体ギャザーを引張る長さをより広い範囲で調整することが可能となる。即ち、止着テープの先端部分により近い位置に対して、立体ギャザー引張部材の一方の端部を接続することができ、立体ギャザーを吸収体の左右両側により良好に広げることができる。
【００３７】
なお、立体ギャザー引張部材の一方の端部が、止着テープの基材部分の外側の面に接続されている場合には、図２Ａ及び図２Ｂに示すように、立体ギャザー引張部材７０における、折り曲げられた状態で配置されたそれぞれの止着テープ１１の先端部分と重なる領域に、止着テープ１１の先端部分を摘まんでおむつの幅方向の外側に向けて広げるための開口部７１が形成されていることが好ましい。このように構成することによって、図２Ｃに示すように、止着テープ１１の先端部分を、立体ギャザー引張部材７０の開口部７１を通しておむつの外側に向けて広げることが可能となる。
【００３８】
ここで、図２Ａは、本発明のテープ型使い捨ておむつの他の実施形態を示す一部切り欠き断面図であり、テープ型使い捨ておむつを展開し、トップシート側から見た状態を示す図である。また、図２Ｂは、図２Ａに示すテープ型使い捨ておむつのＣ−Ｃ’断面を示す概略断面図である。更に、図２Ｃは、図２Ａに示すテープ型使い捨ておむつの止着テープをおむつの外側に広げる際の状態を模式的に示す拡大斜視図である。また、図２Ａ〜図２Ｃにおいて、図１Ａに示す使い捨ておむつ１Ａの各要素と同様に構成されているものについては、同一の符号を付して説明を省略する。
【００３９】
また、立体ギャザー引張部材の一方の端部が、止着テープの基材部分の外側の面に接続されている場合には、上述した開口部７１（図２Ａ参照）の代わりとして、例えば、図３Ａ及び図３Ｂに示すテープ型使い捨ておむつ１Ｃのように、立体ギャザー引張部材７０における、折り曲げられた状態で配置された一対の止着テープ１１の先端部分と重なる領域に、止着テープ１１の先端部分を摘まんでおむつの幅方向の外側に向けて広げるための切込線７２が形成されていてもよい。このような切込線７２を破断して開口部分を形成し、この開口部分から止着テープ１１の先端部分を摘まんで、止着テープ１１をおむつの幅方向の外側に向けて広げることができる。これにより、図２Ａ〜図２Ｃに示すテープ型使い捨ておむつ１Ｂと同様の効果を得ることができる。
【００４０】
なお、上記した立体ギャザー引張部材の切込線とは、いくつかの直線または曲線状の切込み（カット部）が連続的に形成された破線（ミシン目）のことをいう。なお、このような切込線は、破断後の切断部分の形状が、止着テープの先端部分の形状に対応した形状、例えば、半円状やコの字状等になるように構成されたものであることが好ましい。また、切込線の切込み部分の間隔（ミシン目の間隔）等については特に制限はなく、例えば、おむつの使用者や介護者が、指等にて比較的に容易に破断することができるように構成されていればよい。
【００４１】
ここで、図３Ａは、本発明のテープ型使い捨ておむつの更に他の実施形態を示す一部切り欠き断面図であり、テープ型使い捨ておむつを展開し、トップシート側から見た状態を示す図である。また、図３Ｂは、図３Ａに示すテープ型使い捨ておむつのＤ−Ｄ’断面を示す概略断面図である。また、図３Ａ及び図３Ｂにおいて、図１Ａに示す使い捨ておむつ１Ａの各要素と同様に構成されているものについては、同一の符号を付して説明を省略する。
【００４２】
また、止着テープの基材部分の外側の面に立体ギャザー引張部材の一方の端部が接続されたものは、生産性においても優れている。例えば、図１Ａに示すテープ型使い捨ておむつ１Ａは、止着テープ１１を広げた状態で立体ギャザー引張部材７０の一方の端部７０ｘを一旦接続した後、その止着テープ１１をおむつの内側面に向けて再度折り曲げる必要があるが、図２Ａ及び図３Ａに示すようなテープ型使い捨ておむつ１Ｂ，１Ｃは、止着テープ１１を、おむつの内側面に向けて折り曲げた状態で配設した後に、この止着テープ１１を構成する基材部分１２の外側の面に対して、立体ギャザー引張部材７０の一方の端部７０ｘを接合することができる。
【００４３】
上述したように、本発明のテープ型使い捨ておむつは、止着テープを構成する基材部分における、立体ギャザー引張部材との接続部から後身頃の側縁までの長さに応じて、立体ギャザーをおむつの幅方向の外側に向けて広げる距離が決定される。このため、本発明のテープ型使い捨ておむつにおいては、止着テープを構成する基材部分における、立体ギャザー引張部材との接続部から後身頃の側縁までの長さが、５〜８０ｍｍであることが好ましく、１０〜３０ｍｍであることが更に好ましい。このように構成することによって、おむつ着用時において、立体ギャザーをより有効に機能させることができる。なお、上記した「立体ギャザー引張部材との接続部から後身頃の側縁までの長さ」とは、立体ギャザー引張部材が止着テープを構成する基材部分に接合されている部位の最も後身頃の側縁よりの位置から、おむつの後身頃の側縁までの、上記基材部分の長さのことである。即ち、立体ギャザー引張部材と接続（固定）されていない部位の、後身頃の側縁からの基材部分の長さのことである。
【００４４】
〔２−１〕止着テープ：
本発明のテープ型使い捨ておむつは、図１Ａ及び図１Ｂに示すように、後身頃６の左右の各側縁６ａ，６ｂから延出するように配置された、前身頃２と後身頃６とを固定するための少なくとも一対の止着テープ１１を備えている。図１Ａ及び図１Ｂにおいては、後身頃６の左右の各側縁６ａ，６ｂにそれぞれ、２つずつ止着テープ１１が配置されており、そのうちの一対の止着テープ１１ａ，１１ｂのそれぞれが、立体ギャザー引張部材７０ａ，７０ｂによって、同一側縁側に配置された立体ギャザー２６ａ，２６ｂと接続（連結）されている。
【００４５】
このような止着テープは、止着テープの基材部分となる基材シートがおむつの後身頃の側縁に接続され、この基材シートの先端近傍に、おむつの前身頃に配置された止着領域に止着可能なファスニング部材が配置されている。
【００４６】
なお、本発明のテープ型使い捨ておむつにおいては、後身頃の左右側縁に一対の止着テープが配置され、この一対の止着テープが立体ギャザー引張部材によって立体ギャザーと接続されていてもよいし、また、後身頃の左右側縁に二対以上の止着テープが配置され、全ての止着テープが立体ギャザー引張部材によって立体ギャザーと固定されていてもよい。即ち、本発明のテープ型使い捨ておむつにおいては、止着テープをおむつの幅方向の外側に向けて広げる操作に連動させて、立体ギャザーを吸収体の左右に広げることができるものであれば、一対以上の止着テープと立体ギャザーとが立体ギャザー引張部材によって連結されていればよい。
【００４７】
なお、成人用のテープ型使い捨ておむつにおいては、止着テープが左右の側縁に、それぞれ２つずつ延出されたものが一般的であるが、このような止着テープが左右の側縁から２つずつ延出されたテープ型使い捨ておむつにおいては、少なくとも、下側（即ち、股下側）に配置された一対の止着テープが、立体ギャザー引張部材によって立体ギャザーと接続されていることが好ましい。
【００４８】
なお、止着テープのファスニング部材としては、粘着剤により固定を行う粘着ファスナーであってもよいが、機械的な結合により固定を行うメカニカルファスナー（面状ファスナー）を用いることが好ましい。メカニカルファスナは、止着力が高いことに加え、複数回の脱着を行っても止着力が低下することがないという利点がある。
【００４９】
例えば、図１Ａ及び図１Ｂに示すテープ型使い捨ておむつ１Ａは、ファスニング部材として、メカニカルファスナ４６を用いた例である。止着テープ１１の先端近傍には、フック材４６ａが付設される一方、前身頃２には、ループ材４６ｂからなるフロントパッチ１３ａが付設されており、フロントパッチ１３ａに対して、止着テープ１１を止め付けることが可能なように構成されている。
【００５０】
また、図１Ａ及び図１Ｂに示すテープ型使い捨ておむつ１Ａのように、止着テープ１１の基材部分１２の内側の面に立体ギャザー引張部材７０が接続されている場合には、この止着テープ１１と立体ギャザー引張部材７０とが、使用前の状態において仮固定されていることが好ましい。このように構成することによって、止着テープ１１のふら付きを有効に防止することができる。なお、上記した「仮固定」とは、人の手の力で剥離可能に固定されていることを意味する。
【００５１】
なお、このような仮固定は、止着テープ１１のファスニング部材を立体ギャザー引張部材に止着させて行うことが好ましい。例えば、止着テープ１１のファスニング部材として、メカニカルファスナのフック材を用いた場合には、立体ギャザー引張部材７０を上記フック材と係合可能な素材とすることによって、フック材を立体ギャザー引張部材に係合させて仮固定することができる。また、止着テープ１１のファスニング部材として粘着ファスナーを用いた場合には、立体ギャザー引張部材７０が剥離処理されている素材を用いることによって、粘着ファスナーによって良好に上記仮固定を行うことができる。勿論、ホットメルト接着剤による仮接着等によって、ファスニング部材とは別に仮固定を行ってもよい。
【００５２】
〔２−２〕立体ギャザー引張部材：
立体ギャザー引張部材は、おむつの内側面に折り曲げられた状態の止着テープと、同一側縁側に配置された立体ギャザーとを接続（連結）するための部材であり、止着テープを後身頃の側縁外方に広げる操作に連動させて、立体ギャザーを吸収体の左右に広げるための、連結部材である。具体的には、折り曲げられた状態で配置された一対の止着テープにおける後身頃の側縁から所定距離離れた基材部分に一方の端部が接続され、且つ、吸収体の両側に配置された一対の立体ギャザーのうちの同一側縁側に配置された立体ギャザーに他方の端部が接続された連結部材である。
【００５３】
立体ギャザー引張部材を構成する素材については特に制限はないが、例えば、織布、不織布、ウレタン、フィルム等を挙げることができ、特に、ポリプロピレン、ポリエチレン、ポリエステル等の熱可塑性樹脂からなる不織布を用いることが好ましい。また不織布の種類に関しても特に制限はなく、カードエンボス、スパンボンド、ＳＭＳ等の各種製法によって製造された従来公知の不織布等を好適に用いることができる。
【００５４】
また、立体ギャザー引張部材は、折り曲げられた状態の止着テープと立体ギャザーとをなるべく弛みのない状態で接続していることが好ましい。このように構成することによって、止着テープをおむつの幅方向の外側に向けて広げる操作に連動させて、立体ギャザーを吸収体の左右に広げる際に、引張り距離の無駄をなくすことができ、立体ギャザーを良好に且つ必要十分な距離だけ左右に引張ることができる。
【００５５】
また、立体ギャザー引張部材の幅方向の長さについては、特に制限はなく、これまでに説明したように、止着テープと立体ギャザーと連結し、止着テープの動きに連動させて立体ギャザーを引張ることができるものであればよい。なお、図２Ａ及び図３Ａに示すように、止着テープ１１の基材部分の外側の面に、立体ギャザー引張部材７０の一方の端部７０ｘを接続する場合には、止着テープ１１の先端部分を、開口部７１や切込線７２を介しておむつの幅方向の外側に向けて広げることができるように、止着テープ１１の幅（より具体的には、止着テープを構成する基材部分の幅）よりも幅広に構成されたものであることが好ましい。なお、上記した「立体ギャザー引張部材の幅方向の長さ」とは、立体ギャザー引張部材の一方の端部から他方の端部に向かう方向に直交する方向における長さのことである。
【００５６】
また、例えば、図１Ａに示すテープ型使い捨ておむつ１Ａにおいては、立体ギャザー引張部材の幅方向の長さが、一方の端部側と他方の端部側とで同程度の長さ（即ち、一方の端部から他方の端部に向かう方向に一定の幅）の場合の例を示しているが、立体ギャザー引張部材の幅方向の長さは、一方の端部から他方の端部に向かう方向において、一定でなくともよい。
【００５７】
例えば、図示は省略するが、本発明のテープ型使い捨ておむつにおいては、立体ギャザー引張部材の、立体ギャザーと接続される他方の端部が幅広になるように構成されていてもよい。このように構成することによって、立体ギャザー引張部材の他方の端部を、立体ギャザーの広い範囲に対して接続することができ、立体ギャザーをより広い範囲を左右に広げることが可能となる。
【００５８】
このように、本発明のテープ型使い捨ておむつにおいては、立体ギャザー引張部材の立体ギャザーへの接続部分を広くしたり、また、図示は省略するが、立体ギャザー引張部材の他方の端部を枝分させて、立体ギャザーの広い範囲又は複数の範囲と接続（固定）させることによって、立体ギャザーをより広い範囲にて左右に広げることが可能となる。
【００５９】
また、図１Ａ及び図１Ｂに示すように、立体ギャザー引張部材７０は、おむつの内側面と接する側の面に一部が仮固定されていることが好ましい。このように構成することによって、おむつの使用前に立体ギャザー引張部材７０が遊動してしまうのを有効に防止することができる。なお、仮固定の方法については特に制限はなく、メカニカルファスナーによる係合、熱エンボス加工や超音波溶着による極めて弱い溶着又は圧着、ホットメルト接着剤等の接着剤による接着等の各種手法を用いることができる。なお、図１Ｂにおいては、立体ギャザー引張部材７０のおむつの内側面と向かい合う側の面に、おむつの内側面に着脱可能な止着部７３を有する場合の例を示している。なお、このように、止着部７３による仮固定を、メカニカルファスナーによる係合等の着脱可能なものとすることによって、立体ギャザーを吸収体の左右に引張った後、再度止着部７３によって仮固定することにより、立体ギャザーを左右に引張った状態を維持することができる。
【００６０】
〔２−３〕立体ギャザー：
本発明のテープ型使い捨ておむつは、着用者の排泄した尿の横漏れを防止するため、吸収体の両側に配置された、少なくとも左右一対の立体ギャザーを備えている。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００６１】
そして、本発明のテープ型使い捨ておむつは、これまでに説明したように、この立体ギャザーと止着テープとが立体ギャザー引張部材によって連結されており、止着テープをおむつの幅方向の外側に向けて広げる操作に連動させて、立体ギャザーを吸収体の左右に広げることができるように構成されている。これにより、立体ギャザーが有効に機能するように立体ギャザーの位置を調整する（即ち、立体ギャザーが身体の下側になり潰れてしまうことを防止する）ことができ、おむつからの尿漏れを有効に防止することができる。
【００６２】
立体ギャザーの構成は、従来の使い捨ておむつ、その他の吸収性物品に使用される構成を採用することができる。例えば、図１Ａ及び図１Ｂに示す使い捨ておむつ１Ａのように、撥水性シート３２（３２ａ，３２ｂ）の層間に伸縮材（立体ギャザー伸縮材３６（３６ａ，３６ｂ）を挟み込んで固定し、その立体ギャザー伸縮材３６の収縮力によってギャザー（襞）を形成したもの等を好適に用いることができる。立体ギャザー伸縮材３６は、例えば、撥水性シート３２の折り返し部分に挟み込んで固定することができる。なお、それぞれの立体ギャザー引張部材７０の他方の端部７０ｙは、起立した状態における立体ギャザー２６の、おむつの外側の壁部分（即ち、吸収体の両側に配置された一対の立体ギャザー２６ａ，２６ｂの吸収体２２側に配置される壁部分とは反対側の壁部分）に接続されている。
【００６３】
なお、立体ギャザーは、立体ギャザー用の撥水性シートを別途付設してもよいし、おむつを構成するシート材の一部によって形成してもよい。例えば、図１Ａ及び図１Ｂに示す使い捨ておむつ１Ａは、サイドシート１９を構成する撥水性シート３２の一部によって立体ギャザー２６ａ，２６ｂを形成した例である。このような撥水性シートは、カードエンボス、スパンボンド等の製法により製造された不織布であってもよいが、防水性の高いＳＭＳ、ＳＭＭＳ等の不織布シートが更に好ましい。
【００６４】
立体ギャザーはおむつの内側に向かって傾倒する内倒しギャザーであってもよいし、高さ方向の一部に、曲げ部や折り返し部を形成した立体ギャザー（Ｃ折りギャザーやＺ折りギャザー等）とすることもできる。例えば、図１Ａ及び図１Ｂに示す使い捨ておむつ１Ａは、立体ギャザー２６（２６ａ，２６ｂ）を内倒しギャザーとした例である。
【００６５】
〔２−４〕止着領域：
止着領域は、止着テープに配設されたファスニング部材を止着させるための領域であり、おむつの前身頃に配置されている。例えば、図１Ａに示すテープ型使い捨ておむつ１Ａにおいては、止着テープ１１の先端近傍に、フック材４６ａが付設され、おむつの前身頃２には、上記止着領域１３として、ループ材４６ｂからなるフロントパッチ１３ａが付設されている。このような止着領域１３（フロントパッチ１３ａ）に対して、止着テープ１１（より具体的には、止着テープ１１のフック材４６ａ）を止め付けることによって、おむつのウエスト周り開口部と脚周り開口部が形成され、おむつを着用することができる。
【００６６】
なお、本発明のテープ型使い捨ておむつを構成する止着領域については、これまでに説明した止着テープを止め付けることが可能なものであれば特に制限はなく、従来公知のテープ型使い捨ておむつに使用されているフロントパッチ等の止着領域と同様に構成されたものを好適に用いることができる。
【００６７】
〔３〕使い捨ておむつのその他の構成部材：
本発明の使い捨ておむつは、図１Ａ及び図１Ｂに示すように、これまでに説明した、止着テープ１１、立体ギャザー２６、止着領域１３の他に、トップシート１８、吸収体２２、及びバックシート２０等を備えるものである。
【００６８】
〔３−１〕吸収体：
吸収体は、着用者の尿を吸収し、保持するための部材である。吸収体は、着用者の尿や体液を吸収し保持する必要から、吸収性材料によって構成される。通常、吸収体は、トップシートとバックシートの間に挟み込まれ、その周縁部が封着されることによって、トップシートとバックシートとの間に介装される。
【００６９】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュペーパー、吸収紙、親水化処理を行った不織布を用いることが好ましい。
【００７０】
これらの吸収性材料は、通常、単層ないしは複層のマット状として用いられる。この際、前記の吸収性材料のうち１種を単独で用いてもよいし、２種以上を併用してもよい。なかでも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００７１】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００７２】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、アセテート又はこれらの複合繊維の他、パルプ等を挙げることができる。パルプとしては、カーリーセルロースファイバー等のけん縮繊維を好適に用いることができる。
【００７３】
吸収体の形状については特に制限はないが、従来の使い捨ておむつ、その他の吸収性物品において使用される形状、例えば、矩形状、砂時計型、ひょうたん型、Ｔ字型等を挙げることができる。
【００７４】
吸収体は、その全体が親水性シートによって被包されていることが好ましい。このような構成は、吸収体からＳＡＰが漏洩することを防止し、吸収体に形状安定性を付与することができるという利点がある。
【００７５】
〔３−２〕トップシート：
トップシートは、吸収体の上面（おむつの装着時において着用者の肌側に位置する面）を被覆するように配置されるシートである。トップシートは、その下面側（裏面側）に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００７６】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００７７】
トップシートは単一のシート材によって構成されていてもよいが、複数のシート材によって構成されていてもよい。
【００７８】
〔３−３〕バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００７９】
バックシートの配置位置については特に制限はない。吸収体で吸収された尿の漏れを防止するという観点から、少なくとも吸収体の存在する部分にバックシートが配置されていることが好ましい。
【００８０】
バックシートを構成する液不透過性材料としては、例えば、ポリエチレン等の樹脂からなる液不透過性フィルム等を挙げることができ、なかでも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００８１】
なお、バックシートの外表面側にカバーシートを貼り合わせてもよい。このカバーシートは、バックシートを補強し、バックシートの手触り（触感）を良好なものとするために用いられる。
【００８２】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００８３】
〔３−４〕各種伸縮材：
本発明のテープ型使い捨ておむつは、脚周り伸縮材を配置し、ウエスト周り伸縮材を配置することが好ましい。
【００８４】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８５】
この脚周り伸縮材は、立体ギャザーの起立線より外側の部分に配置されていることが好ましい。このような構成とすると、立体ギャザーの十分な防漏効果を確保しつつ、股下部の装用感・装着感を向上させることができる。
【００８６】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８７】
図１Ａに示すテープ型使い捨ておむつ１Ａは、おむつの後身頃６の端縁に沿って帯状のウエスト周り伸縮材４２を配置し、また、脚周り開口部に沿って脚周り伸縮材４０を配置した例である。なお、帯状のウエスト周り伸縮材４２は、ウレタンフォーム等の伸縮性フォームによって構成することができる。図示の例では、後身頃（背側）のみにウエスト周り伸縮材４２を配置しているが、前身頃（腹側）にウエスト周り伸縮材を配置してもよい。
【００８８】
これらの伸縮材については、ギャザーの収縮の程度等を勘案した上で、構成材料、その材料の伸長率、固定時の伸長状態等を決定すればよい。
【００８９】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００９０】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００９１】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００９２】
〔３−５〕適用対象：
本発明の使い捨ておむつの適用対象は、これまでに説明した１ピースタイプのテープ型の使い捨ておむつに限られるものではなく、例えば、２ピースタイプのテープ型の使い捨ておむつにも適用することができる。
【００９３】
なお、「２ピースタイプ」とは、着用者の排泄液を吸収し、保持する機能（吸収・保持機能）を担う吸収性本体と、着用者の身体を被包する機能（装着機能）を担う外装部材とから構成され、外装部材の内側に吸収性本体が配置されたタイプのおむつである。
【００９４】
上記吸収性本体は、吸収体、トップシート及びバックシートを構成要素として備えた部材であり、トップシートとバックシートの間に吸収体を挟み込み、吸収体の周縁部を封着することによって製造することができる。このような吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えば、ホットメルト接着剤等を用いて、外装部材に対して固定することができる。
【００９５】
一方、外装部材は、着用者の身体を被包するための装着機能を担う部材であり、具体的には、前身頃、股下部及び後身頃の各部を形成するシート状の部材である。２ピースタイプのテープ型使い捨ておむつやパンツ型おむつは、着用者の排泄液を吸収し、保持する吸収・保持機能については、専ら吸収性本体が果たすことになるので、外装部材を構成する材料として液不透過性材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。
【００９６】
〔４〕テープ型使い捨ておむつの製造方法：
以下、本発明のテープ型使い捨ておむつの製造方法を、図２Ａ及び図２Ｂに示すテープ型使い捨ておむつ１Ｂを製造する場合の例で説明する。
【００９７】
本発明のテープ型使い捨ておむつの製造方法は、まず、バックシート２０の材料となる長尺のシート材（バックシート材）の表面に、親水性シートに包まれた吸収体２２及び脚周り弾性部材４０を載置し、更にその表面にトップシート１８の材料となるシート材（トップシート材）を載置する。
【００９８】
この際、トップシート材は、センターシートに相当するトップシート材と、サイドシートに相当するトップシート材の２種類が使用される。サイドシートに相当するシート材には折り返し部分を設けることによって、立体ギャザー２６が形成されている。
【００９９】
次に、本発明のテープ型使い捨ておむつに使用する止着テープ１１を作製し、作製した止着テープ１１を後身頃６の側縁６ａ，６ｂに相当する部位に固定する。その後、止着テープ１１を、後身頃６の側縁６ａ，６ｂにておむつの内側面に向けて折り曲げる。
【０１００】
次に、止着テープと立体ギャザーとを連結するための立体ギャザー引張部材を作製する。具体的には、長尺のシート材に間欠で開口部７１を形成した後、流れ方向の所定幅に切断する。
【０１０１】
このようにして得られた立体ギャザー引張部材７０の一方の端部７０ｘを、おむつの内側面に向けて折り曲げた止着テープの基材部分（基材部分の外側の面）に接合し、且つ、立体ギャザー引張部材７０の他方の端部７０ｙを立体ギャザー２６に接続する。なお、止着テープ１１及び立体ギャザー２６への接続方法（固定方法）については、特に制限はないが、例えば、ホットメルト接着剤、その他の流動性の高い接着剤を用いた接着であってもよいし、ヒートシールをはじめとする熱や超音波等による溶着等によって固定することができる。
【０１０２】
なお、立体ギャザー引張部材７０が接続される止着テープ１１ａ，１１ｂとは別に、立体ギャザー２６ａ，２６ｂとは連結しない止着テープ１１を更に有する場合には、従来のテープ型使い捨ておむつに用いられる止着テープと同様の方法によって止着テープを作製し、その止着テープを後身頃の側縁に相当する部位に固定する。
【０１０３】
前記のようにして得られたおむつ連続体は、おむつの脚周り開口部に相当する部分を円弧状に切り抜いて切除し（Ｒカット）、脚周り開口部を形成する。最後に、おむつ連続体を個々のおむつに切断することにより、テープ型使い捨ておむつ１Ｂを製造する。
【０１０４】
また、前記のような一連の工程は、機械的な手段によって連続的に行うことが可能である。例えば、長尺のシート材をローラーから連続的に送出する等の方法・装置を採用することにより、テープ型使い捨ておむつの連続製造が可能となり、生産性の向上に資する。なお、本発明のテープ型使い捨ておむつの製造方法については、上述した方法に限定されることはない。
【実施例】
【０１０５】
以下、本発明を実施例に基づいて具体的に説明するが、本発明はこれらの実施例に限定されるものではない。但し、本発明の使い捨ておむつは、その発明特定事項を備えた使い捨ておむつを全て包含するものであり、以下の実施例に限定されるものではない。
【０１０６】
〔実施例１〕
実施例１の使い捨ておむつとして、テープ型使い捨ておむつを作製した。具体的な構造は、図１Ａ及び図１Ｂに示す使い捨ておむつ１Ａの構造とした。この使い捨ておむつ１Ａは、成人用のテープ型使い捨ておむつのものであり、前後方向長さを８４０ｍｍ、後身頃６の幅（側縁６ａ，６ｂ間の長さ）を６３０ｍｍとした。
【０１０７】
実施例１の使い捨ておむつは、後身頃の左右の側縁に、それぞれ２つずつ止着テープが配置されており、それぞれの止着テープは、おむつの内側面に折り曲げられた状態で配置されている。そして、股下部側の一対の止着テープには、折り曲げられた状態で配置された止着テープにおける後身頃の側縁から２０ｍｍ離れた基材部分に、スパンボンド不織布で形成された、幅５０ｍｍ、長さ２１０ｍｍの矩形の立体ギャザー引張部材の一方の端部を接続し、更に、この立体ギャザー引張部材の他方の端部を、立体ギャザーの起立部位から立体ギャザー高さの７０％（３５ｍｍ）の位置に接続して、立体ギャザー引張部材を介して、止着テープと立体ギャザーとを連結させた。なお、もう一対の止着テープについては、従来のテープ型使い捨ておむつと同様に、後身頃の側縁に、折り曲げた部分の表裏両面にホットメルト接着剤を塗布し、サイドシートとバックシートの間に挟みこむことにより直接固定した。
【０１０８】
〔着用試験〕
このような実施例１のテープ型使い捨ておむつは、おむつの内側面に折り曲げられた状態の止着テープを、おむつの幅方向の外側に向けて広げる操作に連動させて、立体ギャザーを吸収体の外側に向けて広げることができ、着用時に立体ギャザーが身体の下側になり潰れてしまうことを有効に防止することができた。
【産業上の利用可能性】
【０１０９】
本発明の使い捨ておむつは、乳幼児用又は介護を必要とする高齢者や障害者等の成人用の使い捨ておむつに利用することができる。
【符号の説明】
【０１１０】
１Ａ，１Ｂ，１Ｃ，１Ｄ，１Ｅ，１Ｆ，１Ｇ：使い捨ておむつ、２：前身頃、４：股下部、６：後身頃、６ａ，６ｂ：側縁（後身頃の側縁）、８：サイドフラップ、１１，１１ａ，１１ｂ：止着テープ、１１ｘ，１１ｙ：固定端、１１ｐ，１１ｑ：固定端（他方の固定端）、１２：基材部分（止着テープの基材部分）、１３：止着領域、１３ａ：フロントパッチ、１８：トップシート、１９：サイドシート、２０：バックシート、２２：吸収体、２６，２６ａ，２６ｂ：立体ギャザー、３２，３２ａ，３２ｂ：撥水性シート、３６，３６ａ，３６ｂ：立体ギャザー伸縮材、４０：脚周り伸縮材、４２：ウエスト周り伸縮材、４６：メカニカルファスナー、４６ａ：フック材、４６ｂ：ループ材、７０，７０ａ，７０ｂ：立体ギャザー引張部材、７０ｘ：一方の端部（立体ギャザー引張部材の一方の端部）、７０ｙ：他方の端部（立体ギャザー引張部材の他方の端部）、７１：開口部、７２：切込線、７３：止着部、１００：テープ型使い捨ておむつ。
【図１Ａ】
2010158410.tif 000003
【図１Ｂ】
2010158410.tif 000004
【図１Ｃ】
2010158410.tif 000005
【図１Ｄ】
2010158410.tif 000006
【図２Ａ】
2010158410.tif 000007
【図２Ｂ】
2010158410.tif 000008
【図２Ｃ】
2010158410.tif 000009
【図３Ａ】
2010158410.tif 000010
【図３Ｂ】
2010158410.tif 000011
【図４】
2010158410.tif 000012